(57)【要約】      （修正有）【課題】ポリオレフィン系樹脂硬質発泡体からなる芯材の剛性にプラスティック段ボールの大きな曲げ弾性率と、プラスティック段ボールの厚み方向の弾性を付加することにより、薄畳の長期使用によるへこみやそりの発生を吸収すると共に、最適の弾性と柔軟性を持った薄畳を提供する。【解決手段】ポリオレフィン系樹脂硬質発泡体からなる芯材２にプラスティック段ボール７を積層して、畳底面に段差６を形成しないようにした。【選択図】図４
0003162569.tif 000002
【実用新案登録請求の範囲】
【請求項１】
ポリオレフィン系樹脂硬質発泡体からなる芯材にプラスティック段ボールを積層した薄畳。
【請求項２】
ポリオレフィン系樹脂硬質発泡体からなる芯材の上面から周囲側面及び底辺へ折り込んだポリプロピレン畳表の各折込辺を芯材底面に接着し、前記畳表底面の折込辺に囲まれる底面中央段差領域に前記畳表の厚みと略同一厚さのプラスティック段ボールを介在させて、畳底面に段差を形成しないようにした請求項１記載の薄畳。
【請求項３】
前記ポリオレフィン系樹脂硬質発泡体からなる芯材の少なくとも上下何れかの面に気泡のつぶれたポリプロピレン発泡シートを縫着した請求項１及び２の何れかに記載の薄畳。
【考案の詳細な説明】
【考案の詳細な説明】
【技術分野】
【０００１】  本考案は、硬質発泡体からなる芯材の上面から周囲側面及び底辺へ折り込んだ畳表を各折込辺で芯材底面に接着するのみの簡単な薄畳の構造で製造が極めて簡単にでき、畳底面に段差を形成しないようにして長期使用における薄畳中央部のへこみと薄畳外周のそりの発生を防止し、かつ曲げ弾性率及び剛性の強い薄畳に関するものである。
【背景技術】
【０００２】  例えば、特許文献１には、芯材（１）として、厚み方向に気泡が配向したポリオレフィン系樹脂硬質発泡体（積水化学社製「ゼットロン」、厚み７ｍｍ）を用いた。芯材（１）の上に、厚み２ｍｍのポリエチレン発泡体（東レ社製「ペフ」、発泡倍率；３０倍）からなるクッション層（８）を配した。芯材（１）の下面に板紙（４）として、厚み２ｍｍの板紙（丸三製紙社製「ＭＦシート」）を配した。板紙（４）の下に裏シート（５）としてクラフト紙ポリプロピレン１０×１０（洲本製紙社製「ケミペット」）を用いて、糸（６）で針間隔４０ｍｍ、送りピッチ５０ｍｍで、一体的に縫着した。こうして薄畳床３×６板（９１０×１８２０ｍｍ）を製作した旨記載されている。（要約−解決手段）【０００３】  しかしながら、上記板紙（４）は剛性及びクッション性に劣る。また、ポリオレフィン系樹脂硬質発泡体からなる芯材（１）に板紙（４）及び紙材（２）、芯材（１）自体の両面に剛性シート（７）等により、芯材（１）の不十分な曲げ剛性をカバーしようとするものであるが、積層構造が複雑であるため製造工程が嵩み、製造コストがかかる。また、この公報には、上記芯材に対する畳表の積層状態が記載されておらず、薄畳中央のへこみや薄畳外周のそりの発生解消手段については言及されていない。【０００４】  また、特許文献２には、内在するセルのアスペクト比Ｄｚ／Ｄｘｙの平均値が１．１〜４．０であり、かつ発泡倍率が３〜２０倍であるポリオレフィン系樹脂発泡体シートの少なくとも片面に、５〜２０倍に延伸された厚み１００〜２０００μｍのポリオレフィン系樹脂シートが積層されてなり、曲げ弾性限界の歪みが０．２％以上である複合発泡体１を畳芯材として用いる薄畳が記載されている。【０００５】  しかしながら、この発明においては、芯材（１）であるポリオレフィン系樹脂発泡体シートに低密度ポリオレフィン樹脂フィルム（４）（６）及びポリオレフィン系樹脂延伸シート（５）（７）を積層するもので、芯材（１）の不十分な曲げ剛性をカバーしようとするものであるが、積層構造が複雑であるため製造工程が嵩み、製造コストがかかる。また、この公報には、上記芯材に対する畳表の積層状態が記載されておらず、薄畳中央のへこみや薄畳外周のそりの発生解消手段については言及されていない。【０００６】  また、特許文献３には、表面スキン層１１ａ、中間部に融着層１１ｂを有する厚さ３．５ｍｍ乃至６．５ｍｍの合成樹脂発泡板１１の両面に、接着剤によって板紙１２を前面接着して、総厚が９ｍｍ以下にした薄畳用複合芯材が記載されている。【０００７】  しかしながら、特許文献３では、芯材である合成樹脂発泡板１１の両面に、接着剤によって板紙１２を前面接着し、この合成樹脂発泡板１１は表面スキン層１１ａ、中間部に融着層１１ｂを有するもので、芯材（１）の不十分な曲げ剛性をカバーしようとするものであるが、積層構造が複雑であるため製造工程が嵩み、製造コストがかかる。また、この公特許文献３には、上記芯材に対する畳表の積層状態が記載されておらず、薄畳中央のへこみや薄畳外周のそりの発生解消手段については言及されていない。【０００８】
【特許文献１】特開２００７−３０８９４８号公報
【特許文献２】特開２００３−０４８２８８号公報
【特許文献３】特開２００１−１８２２９７号公報
【考案が解決しようとする課題】
【０００９】  本考案は、ポリオレフィン系樹脂硬質発泡体からなる芯材の上面から周囲側面及び底辺へ折り込んだポリプロピレン畳表の各折込辺を芯材底面に接着するのみの簡単な薄畳の構造で製造を極めて簡単にでき、畳底面に段差を形成しないようにして、長期使用における薄畳中央部のへこみと薄畳外周のそりの発生を防止することができ、ポリオレフィン系樹脂硬質発泡体からなる芯材の剛性にプラスティック段ボールの大きな曲げ弾性率と、プラスティック段ボールの厚み方向の弾性を付加することにより、前記へこみやそりの発生を吸収すると共に、薄畳として最適の弾性と柔軟性が得られ、さらに、薄畳の少なくとも上下何れかの面から水分が浸入しても前記芯材への吸収を防止することのできる薄畳を提供することにある。
【課題を解決する手段】
【００１０】  請求項１の考案は、ポリオレフィン系樹脂硬質発泡体からなる芯材にプラスティック段ボールを積層した薄畳を提供するものである。
【００１１】  この考案においては、ポリオレフィン系樹脂硬質発泡体からなる芯材の剛性にプラスティック段ボールの大きな曲げ弾性率と、プラスティック段ボールの厚み方向の弾性を付加することにより、薄畳の長期使用によるへこみやそりの発生を吸収すると共に、薄畳として最適の弾性と柔軟性を得ることができる。
【００１２】  請求項２の考案は、ポリオレフィン系樹脂硬質発泡体からなる芯材の上面から周囲側面及び底辺へ折り込んだポリプロピレン畳表の各折込辺を芯材底面に接着し、前記畳表底面の折込辺に囲まれる底面中央段差領域に前記畳表の厚みと略同一厚さのプラスティック段ボールを介在させて、畳底面に段差を形成しないようにした薄畳を提供するものである。
【００１３】  この考案においては、前記畳表底面の折込辺に囲まれる底面段差領域に前記畳表の厚みと略同一厚さのプラスティック段ボールを介在させて、畳底面に段差を形成しないようにしたので、長期使用における薄畳中央部のへこみと薄畳外周のそりの発生を防止することができる。また、ポリオレフィン系樹脂硬質発泡体からなる芯材の上面から周囲側面及び底辺へ折り込んだポリプロピレン畳表を各折込辺で芯材底面に接着するのみの簡単な薄畳の構造であるので製造が極めて簡単である。また、ポリオレフィン系樹脂硬質発泡体からなる芯材の剛性にプラスティック段ボールの大きな曲げ弾性率と、プラスティック段ボールの厚み方向の弾性を付加することにより、前記へこみやそりの発生を吸収すると共に、薄畳として最適の弾性と柔軟性を得ることができる。
【００１４】  請求項３の考案は、前記ポリオレフィン系樹脂硬質発泡体からなる芯材の少なくとも上下何れかの面に気泡のつぶれたポリプロピレン発泡シートを縫着した請求項１記載の薄畳を提供するものである。
【００１５】  この考案においては、前記ポリプロピレン発泡シートは発泡体であっても、気泡がつぶれていて水分を吸収しないため、薄畳の少なくとも上下何れかの面から水分が浸入しても前記芯材への吸収を防止することができる。
【考案を実施するための形態】
【００１６】  以下に本考案の一実施例を図面に基づき説明する。  図１は薄畳の表面図、図２はすべり止めシートを貼着していない状態の底面図、図３は図１のＩ−Ｉ線縦断面拡大図、図４は図３のＡ部分拡大図である。
【００１７】  各図１乃至図４において、薄畳１はポリオレフィン系樹脂硬質発泡体（積水化学社製「ゼットロン」）からなる芯材２の上面から周囲側面及び底辺へ折り込んだポリプロピレン畳表３（積水化学社製「美草表」）を各折込辺４・・・で芯材２の底面５に半田ごてにより熱溶着して接着し、前記畳表３底面５の折込辺４・・・に囲まれる底面中央段差領域６に前記畳表３の厚みと略同一厚さのプラスティック段ボール７を介在させて、畳底面５に段差を形成しないようにしている。前記と畳表３及びプラスティック段ボール７は夫々約２ｍｍ厚である。前記熱溶着はホットメルト接着剤（コニシ社製「ボンド  メルターボールＮＯ．４１等）を使用することもできる。
【００１８】  これにより、前記畳表底面の折込辺４・・・に囲まれる底面段差領域６に前記畳表３の厚みと略同一厚さのプラスティック段ボール７（住化プラスティック社製「サンプライ」）を介在させて、畳底面５に段差を形成しないようにしいるので、長期使用における薄畳１の中央部へこみと薄畳１外周のそりの発生を防止することができる。また、ポリオレフィン系樹脂硬質発泡体からなる芯材２の上面から周囲側面及び底辺へ折り込んだポリプロピレン畳表３を各折込辺４・・・（畳表底面四隅の合せ辺を含む）で芯材１底面５に接着するのみの簡単な構造であるので製造が極めて簡単となる。
【００１９】  前記プラスティック段ボール７はポリオレフィン系樹脂硬質発泡体からなる芯材２の剛性にプラスティック段ボール７の大きな曲げ弾性率と、プラスティック段ボール７の厚み方向の弾性を付加することにより、前記へこみやそりの発生を吸収すると共に、薄畳１として最適の弾性と柔軟性を得ることができる。したがって、薄畳１の中央部へこみと薄畳１外周のそりの発生を完全に防止することができる。プラスティック段ボール７はポリオレフィン系樹脂硬質発泡体からなる芯材２に接着、縫着しても、しなくても良い。
【００２０】  さらに、前記ポリオレフィン系樹脂硬質発泡体からなる芯材２の少なくとも上下何れかの面に気泡のつぶれた約２ｍｍの発泡ポリプロピレンシート９、９（ＪＳＰ社「ピーボード」）をとして縫着（図示せず）している。これら発泡ポリプロピレンシート９、９により薄畳１全体の厚み方向での柔軟性を付与している。さらに、ポリプロピレン発泡シートは発泡体であっても、気泡がつぶれていて水分を吸収しないため、薄畳の少なくとも上下何れかの面から水分が浸入しても前記芯材への吸収を防止することができる。
【００２１】  前記芯材２の上面から周囲側面及び底辺へ折り込んだポリプロピレン畳表３を各折込辺４・・・で半田ごてにより熱溶着して接着部分を隠すようにすべり止めシート８（東レペフ加工社製「東レペフ」）を貼着している。このすべり止めシート９により、薄畳１を敷設する床とのすべりを防止する。
【考案の効果】
【００２２】  この考案においては、ポリオレフィン系樹脂硬質発泡体からなる芯材の剛性にプラスティック段ボールの大きな曲げ弾性率を加え、さらにプラスティック段ボールの厚み方向の弾性を付加することにより、前記へこみやそりの発生を吸収すると共に、薄畳として最適の弾性と柔軟性を得ることができる。また、前記畳表底面の折込辺に囲まれる底面段差領域に前記畳表の厚みと略同一厚さのプラスティック段ボールを介在させて畳底面に段差を形成しないようにしたので、長期使用における薄畳中央部のへこみと外周のそりの発生を防止することができる。また、ポリオレフィン系樹脂硬質発泡体からなる芯材の上面から周囲側面及び底辺へ折り込んだポリプロピレン畳表を各折込辺で芯材底面に接着するのみの簡単な構造であるので製造が極めて簡単である。
【００２３】  さらに、前記ポリプロピレン発泡シートは発泡体であっても、気泡がつぶれていて水分を吸収しないため、薄畳の少なくとも上下何れかの面から水分が浸入しても前記芯材への吸収を防止することができる等の効果がある。
【図面の簡単な説明】
【００２４】
【図１】薄畳の表面図
【図２】底面図
【図３】図１のＩ−Ｉ線縦断面拡大図
【図４】図３のＡ部分拡大図
【符号の説明】１          薄畳
２          芯材
３          畳表
４・・・    畳表の折込辺
５          薄畳の底面
６          底面段差領域
７          プラスティック段ボール
８          すべり止めシート
９          発泡ポリプロピレンシート（弾性シート）
【図１】
0003162569.tif 000003
【図２】
0003162569.tif 000004
【図３】
0003162569.tif 000005
【図４】
0003162569.tif 000006